(57)【要約】【課題】  高温となった場合でも、搭載された対物レンズがラジアル方向にほとんど傾かないレンズホルダを提供する。【解決手段】  開示されるレンズホルダは、中央部に対物レンズが搭載されるとともに、固定部に相対変位可能に弾性的に支持されるものである。このレンズホルダは、対物レンズが搭載されるレンズ搭載部２１を介して対称となる位置に、２個のゲート（ゲート跡２９及び３０）を設けた金型に、複数個のゲートから樹脂を注入して一体的に成形された樹脂成形品からなる。【選択図】  図１
2008103015.tif 000002
【特許請求の範囲】
【請求項１】
中央部に対物レンズが搭載されるとともに、固定部に相対変位可能に弾性的に支持されるレンズホルダであって、
前記対物レンズが搭載されるレンズ搭載部を介して対称となる位置に複数個のゲートを設けた金型に、前記複数個のゲートから樹脂を注入して一体的に成形された樹脂成形品からなる
ことを特徴とするレンズホルダ。
【請求項２】
前記樹脂成形品の肉厚は、最も薄い部分が０．２５ｍｍ以上であって、最も厚い部分が１．０ｍｍ以下であることを特徴とする請求項１に記載のレンズホルダ。
【請求項３】
前記金型に設けられた前記複数個のゲートのそれぞれに対応した前記樹脂成形品における複数個のゲート跡は、前記レンズ搭載部近傍に形成され、前記対物レンズを保護するための対物レンズ保護部材取付部の近傍に形成されていることを特徴とする請求項１又は２に記載のレンズホルダ。
【請求項４】
請求項１乃至３のいずれかに記載のレンズホルダを備えることを特徴とする対物レンズ駆動装置。
【請求項５】
請求項４に記載の対物レンズ駆動装置を備えることを特徴とする光ヘッド。
【請求項６】
請求項５に記載の光ヘッドを備えることを特徴とする光記録再生装置。
【発明の詳細な説明】
【技術分野】
【０００１】
本発明は、光ディスク等の光記録媒体にデータの記録又は再生を行う光ヘッドを構成する対物レンズが搭載されるレンズホルダ、対物レンズが搭載されたレンズホルダをフォーカス方向及びトラッキング方向等に駆動する対物レンズ駆動装置、この対物レンズ駆動装置を備えた光ヘッド及びこの光ヘッドを備えた光記録再生装置に関する。
【背景技術】
【０００２】
従来のレンズホルダには、レンズ搭載面を有するレンズ支持部と、レンズ搭載面に鉛直に設けられた軸受面を有する軸受部とを備えた樹脂成形品からなるものがある。このレンズホルダでは、上記樹脂成形品は、レンズ支持部の反対側にある軸受部の端部に設けられたゲートから樹脂を注入して成形されたものである（例えば、特許文献１参照。）。以下、この技術を第１の従来例と呼ぶ。
【０００３】
また、従来の対物レンズ駆動装置には、樹脂成形品からなり、筒状の胴部と、この胴部の内側に配置された筒状の軸受部と、これら胴部と軸受部の間に形成され、軸受部の外周面に繋がる水平補強板及び垂直補強板とを備えたレンズホルダを有したものがある。このレンズホルダは、軸受部の内部に差し込まれた固定側支軸に沿った方向及び当該支軸を中心とする回転方向に移動可能となっている。また、上記補強板には、軸受部の外周面に対する接続部分にくびれ部が形成されている。このレンズホルダの射出成形用の金型は、垂直補強板のうち、くびれ部が形成されていない垂直補強板を成形するためのキャビティ部分には、それぞれゲートが開口したものが使用される（例えば、特許文献２参照。）。以下、この技術を第２の従来例と呼ぶ。
【０００４】
【特許文献１】特開２００３−６８９５号公報（請求項１，［００１３］〜［００１８］、図１，図２）
【特許文献２】特開平１０−２８９４５４号公報（請求項１，［００１１］〜［００２１］、図１，図３）
【発明の開示】
【発明が解決しようとする課題】
【０００５】
例えば、光ヘッドを備えた光記録再生装置が自動車に搭載され、この自動車が真夏の炎天下に放置された場合、光記録再生装置が設置されているダッシュボード近傍の温度は、７０〜８０℃程度にまで上昇する。また、このような極端な状況でなくても、光記録再生装置内部はレーザダイオードや様々な駆動回路が発生する熱がこもりやすく、各部品の温度が５０℃前後になることはしばしばある。そこで、光ヘッドの製造業者では、完成後の光ヘッドや対物レンズ駆動装置について、高温（例えば、５５℃）環境下で動作させる動作試験を行っている。
【０００６】
また、最近の光記録再生装置では、装置全体の小型化、薄型化、軽量化が要請されており、これに伴って、対物レンズやレンズホルダその他の部品の小型化、薄型化、軽量化が進んでいる。例えば、上記した第１及び第２の従来例と同様に、レンズホルダが樹脂成形品から構成されるようになってきている。また、いわゆるウルトラスリムタイプと呼ばれる光記録再生装置の場合、装置全体の厚みが約９．５ｍｍ、光ヘッド全体の厚みが約４．５ｍｍである。
【０００７】
このように、樹脂成形品から構成され、小型化、薄型化、軽量化されたレンズホルダを備えた対物レンズ駆動装置について上記動作試験を行った場合、対物レンズがラジアル方向(光記録媒体の半径方向）に傾いてしまうという問題があった。このように、対物レンズが傾くと、レーザダイオードから出射される光ビームが光記録媒体に正しく照射されず、光記録媒体にデータの記録又は再生を行うことができなくなるおそれがある。
【０００８】
上記した第１及び第２の従来例は、いずれも、樹脂成形品から構成されたレンズホルダに関するものであるが、成形時に発生する問題を解決するものである。従って、上記した第１及び第２の従来例は、いずれも、上記したような実装時における周囲温度の変化で発生する問題を解決するものではない。また、本発明が解決しようとする問題は、上記した第１及び第２の従来例に係るレンズホルダや対物レンズ駆動装置の大きさの段階では発生しないものである。
【０００９】
さらに、最近では、例えば、ＤＶＤ（Digital Versatile Disk）プレーヤ等において、波長の短い青色の光ビームを照射する青色レーザダイオード等のレーザダイオードが用いられるようになってきている。このように取り扱う光ビームの波長が短い場合には、各部品の取付精度について許容量が少ないため、以上説明した不都合の影響は甚大である。
【００１０】
本発明は、上述した事情に鑑みてなされたものであり、上述のような課題を解決することができるレンズホルダ、対物レンズ駆動装置、光ヘッド及び光記録再生装置を提供することを目的とする。
【課題を解決するための手段】
【００１１】
上記課題を解決するために、請求項１記載の発明に係るレンズホルダは、中央部に対物レンズが搭載されるとともに、固定部に相対変位可能に弾性的に支持されるレンズホルダに係り、前記対物レンズが搭載されるレンズ搭載部を介して対称となる位置に複数個のゲートを設けた金型に、前記複数個のゲートから樹脂を注入して一体的に成形された樹脂成形品からなることを特徴としている。
【００１２】
また、請求項２記載の発明は、請求項１に記載のレンズホルダに係り、前記樹脂成形品の肉厚は、最も薄い部分が０．２５ｍｍ以上であって、最も厚い部分が１．０ｍｍ以下であることを特徴としている。
また、請求項３記載の発明は、請求項１又は２に記載のレンズホルダに係り、前記金型に設けられた前記複数個のゲートのそれぞれに対応した前記樹脂成形品における複数個のゲート跡は、前記レンズ搭載部近傍に形成され、前記対物レンズを保護するための対物レンズ保護部材取付部の近傍に形成されていることを特徴としている。
【００１３】
また、請求項４記載の発明に係る対物レンズ駆動装置は、請求項１乃至３のいずれかに記載のレンズホルダを備えることを特徴としている。
また、請求項５記載の発明に係る光ヘッドは、請求項４に記載の対物レンズ駆動装置を備えることを特徴としている。
また、請求項６記載の発明に係る光記録再生装置は、請求項５に記載の光ヘッドを備えることを特徴としている。
【発明の効果】
【００１４】
本発明によれば、請求項１記載の発明に係るレンズホルダは、中央部に対物レンズが搭載されるとともに、固定部に相対変位可能に弾性的に支持されるレンズホルダに係り、前記対物レンズが搭載されるレンズ搭載部を介して対称となる位置に複数個のゲートを設けた金型に、前記複数個のゲートから樹脂を注入して一体的に成形された樹脂成形品からなる。従って、レンズホルダが高温となった場合でも、レンズ搭載部に搭載された対物レンズはラジアル方向にほとんど傾かない、即ち、対物レンズの姿勢を一定に保持することができる。これにより、このレンズホルダを用いた対物レンズ駆動装置を有する光ヘッドの信頼性が向上する。従って、この光ヘッドを構成するレーザダイオードから出射される光ビームは、この光ヘッドを搭載した光記録再生装置にセットされた光記録媒体に正しく照射されるため、光記録媒体にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【００１５】
また、本発明によれば、請求項４に記載の発明に係る対物レンズ駆動装置は、請求項１乃至３のいずれかに記載のレンズホルダを備えている。従って、この対物レンズ駆動装置を用いた光ヘッドを搭載した光記録再生装置では、レンズホルダが高温となった場合でも、レンズ搭載部に搭載された対物レンズはラジアル方向にほとんど傾かない、即ち、対物レンズの姿勢を一定に保持することができる。これにより、この対物レンズ駆動装置を用いた光ヘッドの信頼性が向上する。従って、この光ヘッドを構成するレーザダイオードから出射される光ビームは、この光ヘッドを搭載した光記録再生装置にセットされた光記録媒体に正しく照射されるため、光記録媒体にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【００１６】
また、本発明によれば、請求項５に記載の発明に係る光ヘッドは、請求項４に記載の対物レンズ駆動装置を備えている。従って、この光ヘッドを搭載した光記録再生装置では、レンズホルダが高温となった場合でも、レンズ搭載部に搭載された対物レンズはラジアル方向にほとんど傾かない、即ち、対物レンズの姿勢を一定に保持することができる。これにより、光ヘッドの信頼性が向上する。従って、この光ヘッドを構成するレーザダイオードから出射される光ビームは、この光ヘッドを搭載した光記録再生装置にセットされた光記録媒体に正しく照射されるため、光記録媒体にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【００１７】
また、本発明によれば、請求項６に記載の発明に係る光記録再生装置は、請求項５に記載の光ヘッドを備えている。従って、この光記録再生装置では、光ヘッドを構成する対物レンズ駆動装置のレンズホルダが高温となった場合でも、レンズ搭載部に搭載された対物レンズはラジアル方向にほとんど傾かない、即ち、対物レンズの姿勢を一定に保持することができる。これにより、光ヘッド、ひいては、この光記録再生装置の信頼性が向上する。従って、光ヘッドを構成するレーザダイオードから出射される光ビームは、この光記録再生装置にセットされた光記録媒体に正しく照射されるため、光記録媒体にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【発明を実施するための最良の形態】
【００１８】
実施の形態１．
図１は、本発明の実施の形態１に係るレンズホルダ１の構成を示す概略斜視図、図２は、図１に示すレンズホルダ１の構成を裏側から見た概略斜視図である。レンズホルダ１は、軽量かつ高剛性な合成樹脂を原料として射出成形や押出成形により一体に形成された樹脂成形品である。合成樹脂としては、例えば、液晶ポリマー（ＬＣＰ）、ポリフェニレンサルファイド（ＰＰＳ）等がある。この例のレンズホルダ１は、上記合成樹脂をグラスファイバーやカーボンで剛性を強化したものを用いても良い。
【００１９】
レンズホルダ１は、図４に示すように、対物レンズ２がレンズホルダ１の中央部に搭載されるとともに、サスペンションワイヤー６を介してワイヤーベース７等の固定部に片持ち支持され、上記固定部に対して相対変位可能に弾性的に支持される「レンズセンタータイプ」である。
【００２０】
レンズホルダ１は、全体形状が直方体形状を呈しており、下面部中央及び前面部中央がそれぞれ開口している。レンズホルダ１は、レンズ搭載領域１１と、コイル取付領域１２及び１３と、ワイヤー取付領域１５及び１６とから概略構成されている。レンズ搭載領域１１は、対物レンズ２（図４参照）の光軸方向の位置決めを行うためのレンズ搭載部２１と、対物レンズ２をレンズホルダ１に固着するための接着剤３１（図４参照）が塗布される４個の接着剤塗布部２２〜２５と、入射される光ビームを対物レンズ２の有効径に絞る絞り（アパーチャ）２６と、対物レンズ２を保護するための対物レンズ保護部材（図示略）が取り付けられる対物レンズ保護部材取付部２７及び２８とから概略構成されている。
【００２１】
４個の接着剤塗布部２２〜２５のうち、レンズホルダ１の前面近傍に位置する接着剤塗布部２２及び２３のそれぞれの近傍であって、対称となる位置であり、かつ、接着剤塗布部２２及び２３とほぼ同じ高さに、ゲート跡２９及び３０がそれぞれ示されている。即ち、このレンズホルダ１を成形するための金型として、レンズ搭載領域１１のキャビティ部分に、接着剤塗布部２２及び２３のそれぞれの近傍であって対称となる位置に、２個のゲートを設けたものが使用される。なお、上記金型からは、１度に複数個（例えば、４個）のレンズホルダ１が成形可能である。以下、この金型を「本金型」と称する。
【００２２】
レンズ搭載部２１は、絞り２６の周囲に形成されている。レンズ搭載部２１は、対物レンズ２が置かれることにより対物レンズ２のフランジ（図示略）とともに上記対物レンズ２の光軸方向の位置決めを行う。接着剤塗布部２２〜２５は、絞り２６の周囲に形成されたレンズ搭載部２１と絞り２６の外周から突出するように連続するとともに、絞り２６の中心に関して隣接するものが互いに対称となる位置に形成されている。
【００２３】
また、接着剤塗布部２３と接着剤塗布部２４との間に対物レンズ保護部材取付部２７が形成されているとともに、接着剤塗布部２５と接着剤塗布部２２との間に対物レンズ保護部材取付部２８が形成されている。対物レンズ保護部材取付部２７及び２８は、図示しないが、対物レンズ２を保護するための対物レンズ保護部材が取り付けられる。この対物レンズ保護部材は、このレンズホルダ１を用いた対物レンズ駆動装置を有する光ヘッドが動作中に、対物レンズ２と光ディスク等の光記録媒体とが衝突することを防止するために対物レンズ最上面よりも突出させて設けるものである。このため、対物レンズ保護部材は、一般的には、仮に光記録媒体と衝突した場合でも、光記録媒体の表面に傷を付けないようにするために、柔らかい材料が使用されている。
【００２４】
以上説明したように、図１には、４個の接着剤塗布部２２〜２５のうち、レンズホルダ１の前面近傍に位置する接着剤塗布部２２及び２３のそれぞれの近傍であって、対称となる位置に、ゲート跡２９及び３０がそれぞれ示されている。一方、接着剤塗布部２３と接着剤塗布部２４との間に対物レンズ保護部材取付部２７が形成されているとともに、接着剤塗布部２５と接着剤塗布部２２との間に対物レンズ保護部材取付部２８が形成されている。これら２つのことから、ゲート跡２９及び３０は、レンズ搭載部２１近傍に形成された対物レンズ保護部材取付部２７及び２８の近傍に形成されているといえる。
【００２５】
以下、上記したようにゲート跡２９及び３０が形成される、即ち、これらゲート跡２９及び３０が形成された樹脂成形品を成形可能な金型を用いる理由について説明する。
（１）まず、ゲート跡２９及び３０が接着剤塗布部２２及び２３とほぼ同じ高さである、即ち、レンズ搭載領域１１の上面１１ａから段差が形成され、一段低くなっている理由について説明する。
金型のゲートは、高温の溶融樹脂が成形機から金型内に入り込む部分であるので、金型から樹脂成形品を取り出す際にも、ゲート及びその近傍に存在する樹脂が固まりきらずに樹脂成形品としてバリ（凸部）になり、周囲より突出するおそれがある。そこで、ゲート跡２９又は３０がバリとなった場合でも、対物レンズ最上面からは突出しないようにするためにこのような構造としているのである。
【００２６】
（２）次に、ゲート跡２９及び３０がレンズ搭載部２１近傍に形成された対物レンズ保護部材取付部２７及び２８の近傍に形成されるように金型を構成する理由について説明する。
単に、上記（１）に示す構造を採用しただけの場合、上記段差を形成するために、レンズホルダ１の肉厚を薄くしなければならず、これにより、成形性が悪化してしまうおそれがある。この点、対物レンズ保護部材取付部２７及び２８に取り付けられる対物レンズ保護部材は、上記したように、このレンズホルダ１を用いた対物レンズ駆動装置を有する光ヘッドが動作中に、対物レンズ２と光ディスク等の光記録媒体とが衝突することを防止するために対物レンズ最上面から突出させて設けるものである。このため、対物レンズ保護部材は、一般的には、仮に光記録媒体と衝突した場合でも、光記録媒体の表面に傷を付けないようにするために、柔らかい材料が使用されている。従って、このようなレンズ搭載領域１１の上面１１ａから突出した部分の近傍にゲート跡２９及び３０を形成すれば、ゲート跡２９及び３０がバリとなって多少突出した場合であっても、光ディスク等の光記録媒体が衝突することがないのである。また、このような構造とすることにより、上記した（１）で説明した段差を低くすることができ、レンズホルダ１の肉厚が薄い部分を減らすことも可能となる。
【００２７】
レンズホルダ１において、コイル取付領域１２及び１３には、それぞれ巻回された駆動用コイルがそれぞれ挿入され、固定されるように構成されている。さらに、ワイヤー取付領域１５及び１６は、後に実施の形態２において図４及び図５をそれぞれ参照して説明するように、導電性弾性体からなり、可撓性を有する６本のサスペンションワイヤー６の一端側がそれぞれ半田付けで固定されるように構成されている。
【００２８】
レンズホルダ１は、いわゆるウルトラスリムタイプと呼ばれる光記録再生装置（装置全体の厚み；約９．５ｍｍ、光ヘッド全体の厚み；約４．５ｍｍ）に用いられるものである。従って、レンズホルダ１全体の厚みは約３．０５ｍｍ、幅は約１１ｍｍ、奥行きは約４．５ｍｍである。
【００２９】
また、レンズホルダ１を構成する各壁は、最も薄い部分（最小肉厚部）を約０．２５ｍｍまで薄くすることができ、最も厚い部分（最大肉厚部）を約０．７ｍｍまで薄くすることができる。このように、最小肉厚部及び最大肉厚部を規定するのは、それぞれがこの値より薄い場合にはレンズホルダ１が要求される機械的強度で成形できなくなるからである。なお、最大肉厚部が１．０ｍｍ以上である場合には、成形性が良好となるが、最大肉厚部が１．０ｍｍより薄い場合には、上記ウルトラスリムタイプの光記録再生装置を構成する光ヘッドの場合、対物レンズがラジアル方向に傾いてしまうという本発明が解決しようとする問題が発生してしまう。本発明は、レンズホルダ１を構成する各壁の最大肉厚部が０．７ｍｍ以上１．０ｍｍ以下である場合に上記問題を解決するものである。
【００３０】
ここで、本実施の形態１では、レンズホルダ１を成形するための金型として、レンズ搭載領域１１のキャビティ部分に、接着剤塗布部２２及び２３のそれぞれの近傍であって対称となる位置に、２個のゲートがそれぞれ開口したものを使用する理由について、説明する。
【００３１】
まず、上記動作試験の具体的な方法の一例について説明する。
（１）  対物レンズが搭載されたレンズホルダを備えた対物レンズ駆動装置について、常温において、オートコリメータにより、対物レンズのコバからの反射光に基づいて、初期姿勢として対物レンズの傾きを測定する。
（２）  （１）の過程を経た対物レンズ駆動装置を治具とともに、内部の温度が約７５℃に保持された乾燥機内部に約２０分間だけ収容する。
【００３２】
（３）  上記乾燥機から上記対物レンズ駆動装置を取り出し、再びオートコリメータにより、対物レンズのコバからの反射光に基づいて、対物レンズの傾きを測定する。
（４）  （３）の過程を経た対物レンズ駆動装置について、レンズホルダの温度を放射温度計により測定して約５５℃となったとき、オートコリメータにより、対物レンズのコバからの反射光に基づいて、対物レンズの傾きを測定する。
【００３３】
次に、測定対象となる対物レンズ駆動装置を構成するレンズホルダは、上記本金型により作製するとともに、図１に示すレンズ搭載領域１１のキャビティ部分に、接着剤塗布部２２又は２３のいずれか一方の近傍に、１個のゲートが開口した金型（以下、「比較例」と称する。）により作製する。ここで、図３に、本金型及び比較例でそれぞれ作製したレンズホルダを用いた対物レンズ駆動装置について、上記動作試験により対物レンズの傾きを測定した結果を示す。
【００３４】
図３から分かるように、比較例の場合、上記動作試験を行うことにより、対物レンズがラジアル方向に約１３．７分も傾いてしまう。この点について鋭意検討した結果、発明者らは、レンズホルダを成形する際の残留応力や樹脂密度の差などが原因で、レンズホルダに反り、割れあるいは歪みが生じており、上記動作試験を行うことによってレンズホルダが高温となり、上記成形時の反り等が元の形状に戻ろうとするためであると、現時点では、考えている。
【００３５】
これに対し、本金型を用いて成形したレンズホルダに対物レンズを搭載してなる対物レンズ駆動装置の場合、上記動作試験を行っても、対物レンズはラジアル方向に約１分しか傾いていない。これは、以下に示す理由によると考えられる。まず、本金型においてゲートを対称な位置に設けることにより、レンズホルダを成形する際の樹脂の流れが対称となる。これにより、成形時には、残留応力や樹脂密度の差などを原因としたレンズホルダの反り、割れあるいは歪みが従来に比べて生じにくい。従って、上記動作試験を行うことによってレンズホルダが高温となった場合でも、上記成形時の反り等からの元の形状への戻り量が従来に比べて減少している。
【００３６】
このように、本発明の実施の形態１によれば、レンズホルダ１が高温となった場合でも、レンズ搭載領域１１に搭載された対物レンズはラジアル方向にほとんど傾かない、即ち、対物レンズ２（図４参照）の姿勢を一定に保持することができる。これにより、このレンズホルダ１を用いた対物レンズ駆動装置を有する光ヘッドの信頼性が向上する。従って、この光ヘッドを構成するレーザダイオードから出射される光ビームは、この光ヘッドを搭載した光記録再生装置にセットされた光記録媒体に正しく照射されるため、光記録媒体にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【００３７】
実施の形態２．
図４は、本発明の実施の形態２に係る対物レンズ駆動装置の構成を示す概略斜視図、図５は、図４に示す対物レンズ駆動装置の構成を裏側から見た概略斜視図である。この例の対物レンズ駆動装置は、上記実施の形態１で説明した構成を有するレンズホルダ１と、対物レンズ２と、ヨークベース３と、駆動用磁石４と、駆動用コイル５と、サスペンションワイヤー６と、ワイヤーベース７と、ベース基板８とを有している。
【００３８】
対物レンズ２は、オレフィン系樹脂（例えば、シクロオレフィン）、アクリル系樹脂（例えば、ＰＭＭＡ）、メタクリル系樹脂を原料として射出成形や押出成形により一体に形成されている。また、対物レンズ２の中には、光学ガラスを原料としてプリフォームを用いたモールド成形により形成されているものもある。対物レンズ２は、全体形状が略円盤状を呈しており、その下面はレンズ面を形成する球面又は非球面の凸曲面である。対物レンズ２の下面の外周には、図示しないが、円環状のフランジ（外輪部）が設けられている。対物レンズ２は、レンズホルダ１に接着剤３１で固着されている。なお、図４においては、図１に示す接着剤塗布部２４に塗布された接着剤３１は図示していない。また、対物レンズ保護部材取付部２７及び２８には、それぞれ対物レンズ保護部材３２が取り付けられている。
【００３９】
また、レンズホルダ１を構成するコイル取付領域１２及び１３には、それぞれ巻回された駆動用コイル５がそれぞれ挿入され、固定されている。駆動用コイル５は、例えば、ＦＰ（ファインパターン）コイルからなる。ヨークベース３、駆動用磁石４及び駆動用コイル５は、磁気回路を構成しており、対物レンズ２が搭載されたレンズホルダ１に対して、フォーカス調整方向、トラッキング調整方向及びスキュー調整方向のそれぞれの駆動力を発生させる。
【００４０】
また、レンズホルダ１を構成するワイヤー取付領域１５及び１６には、導電性弾性体からなり、可撓性を有するサスペンションワイヤー６の一端側がそれぞれ３本ずつ所定間隔を隔てて半田付け固定されている。サスペンションワイヤー６の各他端側は、ワイヤーベース７に取り付けられたベース基板８の所定位置にそれぞれ半田付けで固定されている。これにより、レンズホルダ１は、サスペンションワイヤー６を介してワイヤーベース７及びベース基板８に片持ち支持され、ワイヤーベース７及びベース基板８を含む固定部に対して相対変位可能に弾性的に支持されている。
【００４１】
また、６本のサスペンションワイヤー６の一端には、図示しないが、それぞれ駆動用コイル５のそれぞれの一端が半田付けされて電気的に接続されている。一方、６本のサスペンションワイヤー６の他端は、図示せぬレンズ駆動回路とそれぞれ電気的に接続されている。即ち、サスペンションワイヤー６は、レンズホルダ１を支持するための弾性体（支持体）としての機能と、駆動用コイル５への給電のためのリード線としての機能とを併せて有している。なお、サスペンションワイヤー６は、板バネ、コイルスプリング、ゴム等の他の弾性体であっても良い。
【００４２】
このように、本発明の実施の形態２によれば、上記した実施の形態１に係るレンズホルダ１を用いて対物レンズ駆動装置を構成している。従って、この対物レンズ駆動装置を用いた光ヘッドを搭載した光記録再生装置では、レンズホルダ１が高温となった場合でも、レンズホルダ１に搭載された対物レンズ２はラジアル方向にほとんど傾かない、即ち、対物レンズ２の姿勢を一定に保持することができる。これにより、この対物レンズ駆動装置を用いた光ヘッドの信頼性が向上する。従って、この光ヘッドを構成するレーザダイオードから出射される光ビームは、この光ヘッドを搭載した光記録再生装置にセットされた光記録媒体に正しく照射されるため、光記録媒体にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【００４３】
実施の形態３．
図６は、本発明の実施の形態３に係る光記録再生装置の構成を示す概略図である。この光記録再生装置は、上記した実施の形態２に係る対物レンズ駆動装置を用いた光ヘッド４１と、スピンドルモータ４２と、スピンドルモータ駆動回路４３と、コントローラ４４と、送りモータ４５と、送りモータ駆動回路４６と、レーザ駆動回路４７と、レンズ駆動回路４８とから概略構成されている。
【００４４】
スピンドルモータ駆動回路４３は、コントローラ４４の制御の下、スピンドルモータ４２を駆動して光記録媒体４９を回転させる。コントローラ４４は、光ヘッド４１から供給されるフォトディテクタ検出信号に基づいて、スピンドルモータ駆動回路４３、送りモータ駆動回路４６、レーザ駆動回路４７及びレンズ駆動回路４８をそれぞれ制御する。
【００４５】
送りモータ駆動回路４６は、コントローラ４４の制御の下、送りモータ４５を駆動して光ヘッド４１を光記録媒体４９の半径方向に移動させる。レーザ駆動回路４７は、コントローラ４４の制御の下、光ヘッド４１を構成するレーザダイオード（図示略）を駆動するためのレーザ駆動信号を生成し、光ヘッド４１に供給する。レンズ駆動回路４８は、コントローラ４４の制御の下、光ヘッド４１を構成する対物レンズ２（図４参照）のフォーカシング、トラッキング及びチルトを制御するためのレンズ駆動信号を生成し、光ヘッド４１に供給する。
【００４６】
コントローラ４４は、フォーカスサーボ追従回路５１と、トラッキングサーボ追従回路５２と、スキュー調整回路５３と、レーザコントロール回路５４とを有している。フォーカスサーボ追従回路５１は、光ヘッド４１から供給されるフォトディテクタ検出信号に基づいて、回転している光記録媒体４９のデータ記録面に光ヘッド４１から出射された光ビームのフォーカスをかけるためのフォーカスサーボ信号を生成し、レンズ駆動回路４８に供給する。
【００４７】
トラッキングサーボ追従回路５２は、光ヘッド４１から供給されるフォトディテクタ検出信号に基づいて、光記録媒体４９の偏芯している信号トラックに対して、光ヘッド４１から出射された光ビームのビームスポットを追従させるためのトラッキングサーボ信号を生成し、レンズ駆動回路４８に供給する。スキュー調整回路５３は、光ヘッド４１から供給されるフォトディテクタ検出信号に基づいて、光ヘッド４１を構成する対物レンズ２（図４参照）をラジアル方向やタンジェンシャル方向に傾斜させるためのスキュー調整信号を生成し、レンズ駆動回路４８に供給する。レーザコントロール回路５４は、光ヘッド４１から供給されるフォトディテクタ検出信号から抽出された光記録媒体４９に記録されている記録条件設定データに基づいて、適切なレーザ駆動信号の生成を行う。
【００４８】
このように、本発明の実施の形態３によれば、上記した実施の形態２に係る対物レンズ駆動装置を用いて光記録再生装置を構成している。従って、この光記録再生装置は、光ヘッド４１を構成する対物レンズ駆動装置のレンズホルダ１が高温となった場合でも、レンズホルダ１に搭載された対物レンズ２はラジアル方向にほとんど傾かない、即ち、対物レンズ２の姿勢を一定に保持することができる。これにより、光ヘッド４１、ひいては、この光記録再生装置の信頼性が向上する。従って、光ヘッド４１を構成するレーザダイオードから出射される光ビームは、光記録媒体４９に正しく照射されるため、光記録媒体４９にデータの記録又は再生を適切に行うことができる。この結果、本発明は、ウルトラスリムタイプあるいはそれ以下のタイプに小型化、薄型化、軽量化された光記録再生装置や、光ビームの波長が短いレーザダイオードが用いられた光記録再生装置に十分に適用することができる。
【００４９】
実施の形態４．
上述の実施の形態１〜３では、光源が１個のみ設けられている光ヘッドや光ヘッドが１個のみ設けられている光記録再生装置の例を示したが、これに限定されない。本発明は、光源が複数個設けられている光ヘッドや光ヘッドが複数個設けられている光記録再生装置にも適用することができる。このような光ヘッド及び光記録再生装置は、例えば、特開２００４−２９５９８２号公報に開示されている。
【００５０】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態１では、レンズホルダ１を成形するための金型として、レンズ搭載領域１１のキャビティ部分に、接着剤塗布部２２及び２３のそれぞれの近傍であって対称となる位置に、２個のゲートを設けたものが使用する例を示したが、これに限定されない。レンズホルダ１を成形するための金型は、例えば、以下に示すいずれかのものを使用しても良い。
【００５１】
（１）  レンズ搭載領域１１のキャビティ部分に、接着剤塗布部２４及び２５のそれぞれの近傍であって対称となる位置に、２個のゲートを設けたもの。
（２）  レンズ搭載領域１１のキャビティ部分に、接着剤塗布部２３及び２５のそれぞれの近傍であって対称となる位置に、２個のゲートを設けたもの。
（３）  レンズ搭載領域１１のキャビティ部分に、接着剤塗布部２２及び２４のそれぞれの近傍であって対称となる位置に、２個のゲートを設けたもの。
（４）  レンズ搭載領域１１のキャビティ部分に、接着剤塗布部２２〜２５のそれぞれの近傍であって対称となる位置に、４個のゲートを設けたもの。
【図面の簡単な説明】
【００５２】
【図１】本発明の実施の形態１に係るレンズホルダの構成を示す概略斜視図である。
【図２】図１に示すレンズホルダの構成を裏側から見た概略斜視図である。
【図３】本金型及び比較例の金型でそれぞれ成形したレンズホルダに対物レンズを搭載してなる対物レンズ駆動装置の動作試験の結果の一例を示す図である。
【図４】本発明の実施の形態２に係る対物レンズ駆動装置の構成を示す概略斜視図である。
【図５】図４に示す対物レンズ駆動装置の構成を裏側から見た概略斜視図である。
【図６】本発明の実施の形態３に係る光記録再生装置の構成を示す概略図である。
【符号の説明】
【００５３】
１  レンズホルダ
２  対物レンズ
３  ヨークベース
４  駆動用磁石
５  駆動用コイル
６  サスペンションワイヤー
７  ワイヤーベース
８  ベース基板
１１  レンズ搭載領域
１１ａ  上面
１２，１３  コイル取付領域
１５，１６  ワイヤー取付領域
２１  レンズ搭載部
２２〜２５  接着剤塗布部
２６  絞り
２７，２８  対物レンズ保護部材取付部
２９，３０  ゲート跡
３１  接着剤
３２  対物レンズ保護部材
４１  光ヘッド
４２  スピンドルモータ
４３  スピンドルモータ駆動回路
４４  コントローラ
４５  送りモータ
４６  送りモータ駆動回路
４７  レーザ駆動回路
４８  レンズ駆動回路
４９  光記録媒体
５１  フォーカスサーボ追従回路
５２  トラッキングサーボ追従回路
５３  スキュー調整回路
５４  レーザコントロール回路
【図１】
2008103015.tif 000003
【図２】
2008103015.tif 000004
【図３】
2008103015.tif 000005
【図４】
2008103015.tif 000006
【図５】
2008103015.tif 000007
【図６】
2008103015.tif 000008